(57)【要約】【課題】他のユーザによって実行されるアクションをユーザに提示するに際して、当該他のユーザと当該ユーザとの関係性を考慮した提示を制御することが可能な技術を提供する。【解決手段】端末を使用するユーザと他の端末を使用する他のユーザとの関係性に基づいて、前記他のユーザにより実行されるアクションに応じたアクションを前記ユーザに実行させることを促すか否かを判定して判定結果を得る判定部と、前記判定結果に応じた表示がなされるように制御する出力制御部と、を備える、情報処理装置が提供される。
2014097716.tif 000002
【特許請求の範囲】
【請求項１】
端末を使用するユーザと他の端末を使用する他のユーザとの関係性に基づいて、前記他のユーザにより実行されるアクションに応じたアクションを前記ユーザに実行させることを促すか否かを判定して判定結果を得る判定部と、
前記判定結果に応じた表示がなされるように制御する出力制御部と、
を備える、情報処理装置。
【請求項２】
前記ユーザにより実行されるアクションは、前記端末に対してなされるアクションであり、前記他のユーザにより実行されるアクションは、前記他の端末に対してなされるアクションである、
請求項１に記載の情報処理装置。
【請求項３】
前記他の端末に対して前記他のユーザにより実行されるアクションは、少なくともコンテンツの録画予約を含む、
請求項１に記載の情報処理装置。
【請求項４】
前記他の端末に対して前記他のユーザにより実行されるアクションは、少なくともコンテンツの視聴を含む、
請求項１に記載の情報処理装置。
【請求項５】
前記判定部は、前記ユーザと前記他のユーザとの関係性を示す関係性ポイントが閾値以上である場合には、前記他のユーザにより実行されるアクションに応じたアクションを前記ユーザに実行させることを促すことを判定する、
請求項１に記載の情報処理装置。
【請求項６】
前記判定部は、前記他のユーザとして複数の者が存在する場合、前記他のユーザそれぞれと前記ユーザとの関係性を示す関係性ポイントの合計値が閾値以上である場合には、前記他のユーザにより実行されるアクションに応じたアクションを前記ユーザに実行させることを促すことを判定する、
請求項１に記載の情報処理装置。
【請求項７】
前記情報処理装置は、
前記他のユーザのうち前記ユーザに対して直接的に関係のある者の数に応じて所定のパラメータを調整する調整部をさらに備える、
請求項６に記載の情報処理装置。
【請求項８】
前記調整部は、前記他のユーザのうち前記ユーザに対して直接的に関係のある者の数に応じて前記閾値を調整する、
請求項７に記載の情報処理装置。
【請求項９】
前記調整部は、前記他のユーザのうち前記ユーザに対して直接的に関係のある者の数が上限値を上回る場合には、前記閾値を増加させる、
請求項８に記載の情報処理装置。
【請求項１０】
前記調整部は、前記他のユーザのうち前記ユーザに対して直接的に関係のある者の数に応じて、前記ユーザと前記他のユーザのうち前記ユーザに対して間接的に関係のある者との関係性を示す関係性ポイントそれぞれを調整する、
請求項７に記載の情報処理装置。
【請求項１１】
前記調整部は、前記他のユーザのうち前記ユーザに対して直接的に関係のある者の数が上限値を上回る場合には、前記ユーザと前記他のユーザのうち前記ユーザに対して間接的に関係のある者との関係性を示す関係性ポイントそれぞれを減少させる、
請求項７に記載の情報処理装置。
【請求項１２】
前記調整部は、前記他のユーザのうち前記ユーザに対して直接的に関係のある者の数が下限値を下回る場合には、前記ユーザと前記他のユーザのうち前記ユーザに対して間接的に関係のある者との関係性を示す関係性ポイントそれぞれを増加させる、
請求項７に記載の情報処理装置。
【請求項１３】
前記情報処理装置は、
前記ユーザによって過去に実行されたアクションの履歴に基づいて所定のパラメータを調整する調整部をさらに備える、
請求項６に記載の情報処理装置。
【請求項１４】
前記調整部は、前記ユーザによって過去に実行されたアクションの履歴に基づいて関係性ポイントを調整する、
請求項１３に記載の情報処理装置。
【請求項１５】
前記関係性ポイントは、前記ユーザと前記他のユーザとの関係性が強いほど、大きい値である、
請求項６に記載の情報処理装置。
【請求項１６】
前記他の端末に対して前記他のユーザにより実行されるアクションは、実行予定のアクション、実行中のアクションおよび既に実行されたアクションのうちの少なくともいずれか１つを含む、
請求項１に記載の情報処理装置。
【請求項１７】
端末を使用するユーザと他の端末を使用する他のユーザとの関係性に基づいて、前記他のユーザにより実行されるアクションに応じたアクションを前記ユーザに実行させることを促すか否かを判定して判定結果を得ることと、
前記判定結果に応じた表示がなされるように制御することと、
を含む、情報処理方法。
【請求項１８】
当該端末を使用するユーザと他の端末を使用する他のユーザとの関係性に基づいて、前記他のユーザにより実行されるアクションに応じたアクションを前記ユーザに実行させることを促すか否かを示す判定結果を取得する取得部と、
前記判定結果に応じた表示がなされるように制御する表示制御部と、
を備える、端末。
【請求項１９】
端末を使用するユーザと他の端末を使用する他のユーザとの関係性に基づいて、前記他のユーザにより実行されるアクションに応じたアクションを前記ユーザに実行させることを促すか否かを示す判定結果を取得することと、
前記判定結果に応じた表示がなされるように制御することと、
を含む、制御方法。
【請求項２０】
コンピュータを、
当該端末を使用するユーザと他の端末を使用する他のユーザとの関係性に基づいて、前記他のユーザにより実行されるアクションに応じたアクションを前記ユーザに実行させることを促すか否かを示す判定結果を取得する取得部と、
前記判定結果に応じた表示がなされるように制御する表示制御部と、
を備える、端末として機能させるためのプログラム。
【発明の詳細な説明】
【技術分野】
【０００１】
本開示は、情報処理装置、情報処理方法、端末、制御方法およびプログラムに関する。
【背景技術】
【０００２】
近年、ユーザがアクションを実行するに際して、他のユーザによるアクションの実行状況に基づいて、実行すべきアクションを決定する技術が存在する。例えば、ユーザは、他のユーザによるコンテンツの録画予約の状況に基づいて、当該コンテンツを録画予約すべきか否かを決定する技術が開示されている（例えば、特許文献１参照。）。かかる技術によれば、ユーザにとって利用価値がより高いコンテンツを推奨し、ユーザによるコンテンツの利用を促進することが可能である。【０００３】
また、ユーザによるコンテンツに対する評価の傾向などに基づいて、当該ユーザに対するコンテンツに関する情報の提示を制御する技術が存在する（例えば、特許文献２参照。）。かかる技術によれば、コンテンツに対して与えられたユーザの評価をより有効に活用して、ユーザにとって利用価値がより高いコンテンツを推奨し、ユーザによるコンテンツの利用を促進することが可能である。
【先行技術文献】
【特許文献】
【０００４】
【特許文献１】特開２０１１−１６６６２２号公報
【特許文献２】特開２００９−１５７９０７号公報
【発明の概要】
【発明が解決しようとする課題】
【０００５】
しかしながら、他のユーザによって実行されるアクションであっても、他のユーザとユーザとの関係性によってアクションの重要度は異なる場合も想定される。したがって、他のユーザによって実行されるアクションをユーザに提示するに際して、当該他のユーザと当該ユーザとの関係性を考慮した提示を制御することが可能な技術が実現されることが望ましい。
【課題を解決するための手段】
【０００６】
本開示によれば、端末を使用するユーザと他の端末を使用する他のユーザとの関係性に基づいて、前記他のユーザにより実行されるアクションに応じたアクションを前記ユーザに実行させることを促すか否かを判定して判定結果を得る判定部と、前記判定結果に応じた表示がなされるように制御する出力制御部と、を備える、情報処理装置が提供される。【０００７】
また、本開示によれば、端末を使用するユーザと他の端末を使用する他のユーザとの関係性に基づいて、前記他のユーザにより実行されるアクションに応じたアクションを前記ユーザに実行させることを促すか否かを判定して判定結果を得ることと、前記判定結果に応じた表示がなされるように制御することと、を含む、情報処理方法が提供される。【０００８】
また、本開示によれば、当該端末を使用するユーザと他の端末を使用する他のユーザとの関係性に基づいて、前記他のユーザにより実行されるアクションに応じたアクションを前記ユーザに実行させることを促すか否かを示す判定結果を取得する取得部と、前記判定結果に応じた表示がなされるように制御する表示制御部と、を備える、端末が提供される。【０００９】
また、本開示によれば、端末を使用するユーザと他の端末を使用する他のユーザとの関係性に基づいて、前記他のユーザにより実行されるアクションに応じたアクションを前記ユーザに実行させることを促すか否かを示す判定結果を取得することと、前記判定結果に応じた表示がなされるように制御することと、を含む、制御方法が提供される。【００１０】
また、本開示によれば、コンピュータを、当該端末を使用するユーザと他の端末を使用する他のユーザとの関係性に基づいて、前記他のユーザにより実行されるアクションに応じたアクションを前記ユーザに実行させることを促すか否かを示す判定結果を取得する取得部と、前記判定結果に応じた表示がなされるように制御する表示制御部と、を備える、端末として機能させるためのプログラムが提供される。
【発明の効果】
【００１１】
以上説明したように本開示によれば、他のユーザによって実行されるアクションをユーザに提示するに際して、当該他のユーザと当該ユーザとの関係性を考慮した提示を制御することが可能である。
【図面の簡単な説明】
【００１２】
【図１】本開示の実施形態に係る情報処理システムの構成例を示す図である。
【図２】本開示の実施形態に係る端末の機能構成例を示す図である。
【図３】本開示の実施形態に係る情報処理装置の機能構成例を示す図である。
【図４】ユーザと他のユーザとの関係性を説明するための図である。
【図５】本開示の実施形態に係る情報処理システムの詳細な構成例を示す図である。
【図６】番組選択画面の例を示す図である。
【図７】録画予約画面の例を示す図である。
【図８】本開示の実施形態に係る情報処理装置の動作の流れの一例を示す図である。
【図９】本開示の実施形態の変形例に係る情報処理システムの詳細な構成例を示す図である。
【図１０】本開示の実施形態の変形例に係る情報処理装置の動作の流れの一例を示す図である。
【図１１】一般的なプレイサイクルの例を示す図である。
【図１２】本開示の実施形態に係る情報処理システムを利用した場合におけるプレイサイクルの例を示す図である。
【発明を実施するための形態】
【００１３】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１４】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１５】
また、以下に示す項目順序に従って当該「発明を実施するための形態」を説明する。
１．実施形態
１−１．情報処理システムの構成例
１−２．端末の機能構成例
１−３．情報処理装置の機能構成例
１−４．情報処理システムの機能の詳細
１−５．情報処理装置の動作
２．変形例
２−１．情報処理システムの機能の詳細
２−２．情報処理装置の動作
３．効果
４．むすび
【００１６】
＜＜１．実施形態＞＞
まず、本開示の実施形態について説明する。
【００１７】
［１−１．情報処理システムの構成例］
最初に、本開示の実施形態に係る情報処理システム１の構成例について説明する。図１は、本開示の実施形態に係る情報処理システム１の構成例を示す図である。図１に示すように、情報処理システム１は、複数の端末１０の例としての端末１０Ａ〜１０Ｅを備えている。また、図１に示すように、情報処理システム１は、情報処理装置２０、番組情報提供サーバ３０およびコンテンツ提供サーバ４０を備えている。
【００１８】
端末１０は、ネットワーク５０を介して、他の端末１０、情報処理装置２０、番組情報提供サーバ３０およびコンテンツ提供サーバ４０と通信を行うことが可能である。本明細書においては、情報処理システム１が、複数の端末１０の例として５つの端末１０（端末１０Ａ〜１０Ｅ）を備える場合について主に説明するが、情報処理システム１が備える端末１０の数は複数であれば特に限定されない。
【００１９】
また、以下の説明においては、端末１０Ａを使用するユーザをユーザＡとし、同様に、端末１０Ｂ〜１０Ｅを使用するユーザをそれぞれ、ユーザＢ〜Ｅとする。また、以下の説明においては、ユーザＢ〜Ｅを「他のユーザ」とした上で、「ユーザ」としてのユーザＡに注目し、ユーザＢ〜Ｅによって実行されるアクションに基づいて、ユーザＡがどのようにアクションを実行するかを主に説明する。
【００２０】
情報処理装置２０は、ネットワーク５０を介して、端末１０、番組情報提供サーバ３０およびコンテンツ提供サーバ４０と通信を行うことが可能である。なお、図１に示した例では、情報処理装置２０は、端末１０とは別体に構成されているが、複数の端末１０のいずれかが情報処理装置２０の機能を有していてもよい。かかる場合、情報処理装置２０の機能を有する端末１０はどのように特定されてもよい。例えば、情報処理装置２０の機能を有する端末１０はあらかじめ定められていてもよいし、最初に起動した端末１０であってもよいし、動的に変更されてもよい。
【００２１】
番組情報提供サーバ３０は、ネットワーク５０を介して、端末１０、情報処理装置２０およびコンテンツ提供サーバ４０と通信を行うことが可能である。例えば、番組情報提供サーバ３０は、端末１０およびコンテンツ提供サーバ４０に番組情報を提供する機能を有する。番組情報については後に詳細に説明するが、例えば、番組情報はＥＰＧ（Ｅｌｅｃｔｒｏｎｉｃ  Ｐｒｏｇｒａｍ  Ｇｕｉｄｅ）データであってもよい。かかる場合、番組情報提供サーバ３０は、ＥＰＧサーバとして機能する。
【００２２】
コンテンツ提供サーバ４０は、ネットワーク５０を介して、端末１０、情報処理装置２０および番組情報提供サーバ３０と通信を行うことが可能である。例えば、コンテンツ提供サーバ４０は、端末１０に番組コンテンツを提供する機能を有する。本実施形態においては、コンテンツ提供サーバ４０によって提供されるコンテンツが番組コンテンツである場合について説明するが、コンテンツの種類は特に限定されず、番組コンテンツ以外のコンテンツ（例えば、映像コンテンツ、音声コンテンツ、テキストデータなど）であってもよい。なお、以下の説明においては、番組コンテンツを単に「番組」と言うこともある。
【００２３】
ここで、ユーザにとって利用価値がより高いコンテンツを推奨し、ユーザによるコンテンツの利用を促進する技術は存在するが、他のユーザによって実行されるアクションであっても、他のユーザとユーザとの関係性によってアクションの重要度は異なる場合も想定される。したがって、本明細書においては、他のユーザによって実行されるアクションをユーザに提示するに際して、当該他のユーザと当該ユーザとの関係性を考慮した提示を制御することが可能な技術を提案する。
【００２４】
以上、本開示の実施形態に係る情報処理システム１の構成例について説明した。
【００２５】
［１−２．端末の機能構成例］
続いて、本開示の実施形態に係る端末１０の機能構成例について説明する。図２は、本開示の実施形態に係る端末１０の機能構成例を示す図である。図２に示したように、端末１０は、制御部１１０、操作部１２０、通信部１３０、記憶部１４０、音声出力部１５０および表示部１６０を備える。
【００２６】
制御部１１０は、例えば、ＣＰＵ（Ｃｅｎｔｒａｌ  Ｐｒｏｃｅｓｓｉｎｇ  Ｕｎｉｔ）などのプロセッサに相当する。制御部１１０は、記憶部１４０または他の記憶媒体に記憶されるプログラムを実行することにより、制御部１１０が有する様々な機能を発揮する。制御部１１０は、取得部１１１、表示制御部１１２および処理部１１３を有する。
【００２７】
取得部１１１は、情報処理装置２０が備える判定部２１１による判定結果を取得する。取得部１１１により取得される判定結果は、例えば、情報処理装置２０が備える出力制御部２１３により取得部１１１に提供される。判定部２１１による判定の詳細については、後に説明する。
【００２８】
表示制御部１１２は、取得部１１１によって取得された判定結果に応じた表示がなされるように制御する。例えば、表示制御部１１２は、判定結果に応じた表示が表示部１６０によってなされるように表示部１６０を制御する。表示制御部１１２によって制御される表示の詳細については、後に説明する。
【００２９】
処理部１１３は、表示制御部１１２によって制御された表示を閲覧したユーザによってアクションを選択するためのユーザ操作が行われた場合、そのユーザ操作によって選択されたアクションに対応する処理を実行する。処理部１１３によって実行される処理の詳細については、後に説明する。
【００３０】
操作部１２０は、ユーザ操作を検出して制御部１１０に出力する。本明細書においては、操作部１２０がタッチパネルにより構成される場合を想定しているため、ユーザ操作はユーザの指を操作体として入力される。しかし、操作部１２０はタッチパネル以外のハードウェアにより構成されていてもよい。なお、図２に示した例では、操作部１２０は端末１０と一体化されているが、操作部１２０は、端末１０と別体に構成されていてもよい。
【００３１】
通信部１３０は、ネットワーク５０を介して、他の端末１０、情報処理装置２０、番組情報提供サーバ３０およびコンテンツ提供サーバ４０と通信を行うことが可能である。例えば、通信部１３０は、番組情報提供サーバ３０から番組情報を受信することが可能である。また、例えば、通信部１３０は、番組情報に基づいて生成された録画予約情報をコンテンツ提供サーバ４０に送信することが可能である。また、例えば、通信部１３０は、録画予約情報に応じた番組コンテンツをコンテンツ提供サーバ４０から受信することが可能である。なお、図２に示した例では、通信部１３０は端末１０と一体化されているが、通信部１３０は、端末１０と別体に構成されていてもよい。
【００３２】
記憶部１４０は、半導体メモリまたはハードディスクなどの記憶媒体を用いて、制御部１１０を動作させるためのプログラムを記憶する。また、例えば、記憶部１４０は、プログラムによって使用される各種のデータ（例えば、各種の設定情報、番組コンテンツなど）を記憶することもできる。なお、図２に示した例では、記憶部１４０は端末１０と一体化されているが、記憶部１４０は端末１０と別体に構成されていてもよい。
【００３３】
音声出力部１５０は、番組コンテンツの再生により生じる音声を出力する機能を有する。例えば、音声出力部１５０は、例えば、スピーカにより構成される。なお、図２に示した例では、音声出力部１５０は端末１０と一体化されているが、音声出力部１５０は端末１０と別体に構成されていてもよい。音声出力部１５０が端末１０と別体に構成される場合、例えば、音声出力部１５０は、ヘッドホンやイヤホンなどであってもよい。
【００３４】
表示部１６０は、表示制御部１１２による制御に従って、各種情報の表示を行う。表示部１６０は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ装置などにより構成される。なお、図２に示した例では、表示部１６０は端末１０と一体化されているが、表示部１６０は端末１０と別体に構成されていてもよい。
【００３５】
以上、本開示の実施形態に係る端末１０の機能構成例について説明した。
【００３６】
［１−３．情報処理装置の機能構成例］
続いて、本開示の実施形態に係る情報処理装置２０の機能構成例について説明する。図３は、本開示の実施形態に係る情報処理装置２０の機能構成例を示す図である。図３に示したように、情報処理装置２０は、制御部２１０、記憶部２２０および通信部２３０を備える。
【００３７】
制御部２１０は、例えば、ＣＰＵなどのプロセッサに相当する。制御部２１０は、記憶部２２０または他の記憶媒体に記憶されるプログラムを実行することにより、制御部２１０が有する様々な機能を発揮する。制御部２１０は、判定部２１１、調整部２１２および出力制御部２１３を有する。
【００３８】
判定部２１１は、ユーザＡと他のユーザとの関係性に基づいて、他のユーザにより実行されるアクションに応じたアクションをユーザＡに実行させることを促すか否かを判定する。判定部２１１は、当該判定により判定結果を取得する。他のユーザは、ユーザＡ以外のユーザに相当し、ユーザＢ〜Ｅのうちの１または複数のユーザに相当する。他の端末は、当該他のユーザそれぞれが使用する端末である。
【００３９】
例えば、他のユーザにより実行されるアクションに応じたアクションは、他のユーザにより実行されるアクションと同一のアクションであってもよい。あるいは、他のユーザにより実行されるアクションに応じたアクションは、他のユーザにより実行されるアクションと関連するアクションであってもよい。関連するアクション同士としては、例えば、ストーリーとして連続する番組を対象とする場合、出演者または製作者が同一の番組を対象とする場合、同じジャンルの番組を対象とする場合などが想定される。
【００４０】
ここで、ユーザＡにより実行されるアクションは、例えば、端末１０Ａに対してユーザＡによりなされるアクションである。また、他のユーザにより実行されるアクションは、他の端末に対して当該他のユーザによりなされるアクションであり、例えば、ユーザＢにより実行されるアクションは、端末１０Ｂに対してユーザＢによりなされるアクションである。同様に、ユーザＣ〜Ｅそれぞれにより実行されるアクションは、端末１０Ｃ〜１０Ｅそれぞれに対してユーザＣ〜Ｅによりなされるアクションである。
【００４１】
また、他の端末に対して他のユーザにより実行されるアクションの種類は特に限定されない。例えば、アクションは、本実施形態において主に説明するように、少なくとも番組の録画予約を含んでいてもよい。あるいは、アクションは、他の端末に対して他のユーザにより実行されるアクションは、本実施形態の変形例において主に説明するように、少なくとも番組の視聴を含んでいてもよい。
【００４２】
また、他の端末に対して他のユーザによりアクションが実行されるタイミングは特に限定されない。例えば、他の端末に対して他のユーザにより実行されるアクションは、実行予定のアクション、実行中のアクションおよび既に実行されたアクションのうちの少なくともいずれか１つを含んでもよい。すなわち、他のユーザにより実行されるアクションは、実行予定のアクションであってもよいし、実行中のアクションであってもよいし、既に実行されたアクションであってもよい。
【００４３】
判定部２１１による判定の手法は特に限定されない。例えば、判定部２１１は、他のユーザがユーザＢである場合、ユーザＡとユーザＢとの関係性を示す関係性ポイントが閾値以上である場合には、ユーザＢにより実行されるアクションに応じたアクションをユーザＡに実行させることを促すことを判定すればよい。
【００４４】
また、例えば、判定部２１１は、他のユーザがユーザＢ〜Ｅである場合、他のユーザそれぞれとユーザＡとの関係性を示す関係性ポイントの合計値が閾値以上である場合には、他のユーザにより実行されるアクションに応じたアクションをユーザＡに実行させることを促すことを判定してもよい。図４に示したように、関係性ポイントは、ユーザＡと他のユーザとの関係性が強いほど、大きい値であればよい。
【００４５】
調整部２１２は、他のユーザのうちユーザＡに対して直接的に関係のある者の数に応じて所定のパラメータを調整する。所定のパラメータとしては、様々なパラメータが想定される。例えば、調整部２１２は、他のユーザのうちユーザＡに対して直接的に関係のある者の数に応じて閾値を調整すればよい。閾値の調整の仕方は特に限定されないが、例えば、調整部２１２は、他のユーザのうちユーザＡに対して直接的に関係のある者の数が上限値を上回る場合には、閾値を増加させてもよい。このようにすれば、関係性ポイントの合計値が閾値以上となって、他のユーザにより実行されるアクションに応じたアクションをユーザＡに実行させることを促す頻度が多くなりすぎることを防止することができる。
【００４６】
また、閾値の代わりに閾値以外のパラメータが調整されてもよい。例えば、調整部２１２は、他のユーザのうちユーザＡに対して直接的に関係のある者の数に応じて、ユーザＡと他のユーザのうちユーザＡに対して間接的に関係のある者との関係性を示す関係性ポイントそれぞれを調整してもよい。
【００４７】
関係性ポイントの調整の仕方は特に限定されないが、例えば、調整部２１２は、他のユーザのうちユーザＡの直接的に関係のある者の数が上限値を上回る場合には、ユーザＡと他のユーザのうちユーザＡに対して間接的に関係のある者との関係性を示す関係性ポイントそれぞれを減少させてもよい。このようにすれば、関係性ポイントの合計値が閾値以上となって、他のユーザにより実行されるアクションに応じたアクションをユーザＡに実行させることを促す頻度が多くなりすぎることを防止することができる。
【００４８】
一方、調整部２１２は、他のユーザのうちユーザＡに対して直接的に関係のある者の数が下限値を下回る場合には、ユーザＡと他のユーザのうちユーザＡに対して間接的に関係のある者との関係性を示す関係性ポイントそれぞれを増加させてもよい。このようにすれば、関係性ポイントの合計値が閾値未満となって、他のユーザにより実行されるアクションに応じたアクションをユーザＡに実行させることを促す頻度が少なくなりすぎることを防止することができる。
【００４９】
また、調整部２１２は、ユーザＡによって過去に実行されたアクションの履歴に基づいて所定のパラメータを調整してもよい。例えば、調整部２１２は、ユーザＡによって過去に実行されたアクションの履歴に基づいて関係性ポイントを調整してもよい。より詳細には、例えば、調整部２１２は、ユーザＡによって過去に実行されたアクションの履歴に基づいて、ユーザＡの好きな範囲（例えば、ジャンル、出演者、番組テーマ、キーワード、放送時間帯など）を特定することができた場合には、その範囲については関係性ポイントを増加させてもよい。
【００５０】
なお、調整部２１２は、他のユーザによって過去に実行されたアクションの履歴に基づいて所定のパラメータを調整してもよい。例えば、調整部２１２は、他のユーザによって過去に実行されたアクションの履歴に基づいて関係性ポイントを調整してもよい。
【００５１】
出力制御部２１３は、判定部２１１により取得された判定結果に応じた表示がなされるように制御する。より詳細には、出力制御部２１３は、かかる判定結果に応じた表示が端末１０Ａの表示部１６０に表示されるように制御する。かかる表示制御は、例えば、出力制御部２１３が、かかる判定結果を端末１０Ａに提供することにより実現される。
【００５２】
記憶部２２０は、半導体メモリまたはハードディスクなどの記憶媒体を用いて、制御部２１０を動作させるためのプログラムを記憶する。また、例えば、記憶部２２０は、プログラムによって使用される各種のデータ（例えば、各種の設定情報、番組コンテンツなど）を記憶することもできる。なお、図３に示した例では、記憶部２２０は情報処理装置２０と一体化されているが、記憶部２２０は情報処理装置２０と別体に構成されていてもよい。
【００５３】
通信部２３０は、ネットワーク５０を介して、端末１０、番組情報提供サーバ３０およびコンテンツ提供サーバ４０と通信を行うことが可能である。例えば、通信部２３０は、端末１０から録画予約情報を受信することが可能である。また、例えば、通信部２３０は、録画予約情報に応じた画面情報を端末１０に送信することが可能である。なお、図３に示した例では、通信部２３０は情報処理装置２０と一体化されているが、通信部２３０は、情報処理装置２０と別体に構成されていてもよい。
【００５４】
以上、本開示の実施形態に係る情報処理装置２０の機能構成例について説明した。
【００５５】
［１−４．情報処理システムの機能の詳細］
続いて、本開示の実施形態に係る情報処理装置２０の機能の詳細について説明する。図４は、ユーザと他のユーザとの関係性を説明するための図である。ここで、上記したように、注目すべきユーザをユーザＡとし、他のユーザをユーザＢ、ユーザＣ、ユーザＤおよびユーザＥとして説明を続ける。
【００５６】
図４に示したように、ユーザＡとユーザＢとは「直接の友達」という関係性を満たしているとする。同様に、ユーザＡとユーザＣとは「直接の友達」という関係性を満たしているとする。
【００５７】
かかる場合、「直接の友達」に該当するユーザ間には、所定のポイント（図４に示した例では、「１．０ポイント」）が関係性ポイントとして与えられる。ここで、「直接の友達」という関係は、直接的な関係の一例に過ぎないため、「直接の友達」の代わりに、他の直接的な関係が用いられてもよい。また、「直接の友達」に該当するユーザ間に与えられる関係性ポイントの大きさは特に限定されない。
【００５８】
一方、図４に示したように、ユーザＡと直接の友達であるユーザＢとユーザＤとが直接の友達である場合には、ユーザＡとユーザＤとは「友達の友達」という関係性を満たすこととなる。同様に、ユーザＡと直接の友達であるユーザＢとユーザＥとが直接の友達である場合には、ユーザＡとユーザＥとは「友達の友達」という関係性を満たすこととなる。
【００５９】
かかる場合、「友達の友達」に該当するユーザ間には、「直接の友達」に該当するユーザ間よりも低いポイント（図４に示した例では「０．５ポイント」）が関係性ポイントとして与えられる。「友達の友達」という関係は、間接的な関係の一例に過ぎないため、「友達の友達」の代わりに、他の間接的な関係が用いられてもよい。また、「友達の友達」に該当するユーザ間に与えられる関係性ポイントの大きさは特に限定されない。
【００６０】
なお、このようなユーザ間の関係性を示す関係性ポイントには、例えば、ＳＮＳ（ｓｏｃｉａｌ  ｎｅｔｗｏｒｋｉｎｇ  ｓｅｒｖｉｃｅ）におけるユーザ間の関係性（ソーシャルグラフ）を利用することが可能である。しかし、既に存在するＳＮＳにおけるソーシャルグラフとは別に、本実施形態に係る情報処理システム１において利用する関係性ポイントを形成してもよい。
【００６１】
図５は、本開示の実施形態に係る情報処理システム１の詳細な構成例を示す図である。図５に示すように、情報処理システム１においては、関連性情報２１、番組情報３１、録画予約情報４１およびコンテンツ４２が用いられる。なお、これらの情報それぞれがどの装置によって記憶されるかは特に限定されない。また、以下では、ユーザによって実行されるアクションとして番組コンテンツの録画予約が実行される場合を例として説明を行う。
【００６２】
関連性情報２１は、「第１のユーザ」と「第２のユーザ」と「関係性ポイント」とが関連付けられた情報である。例えば、「第１のユーザ」と「第２のユーザ」とは、「関係性ポイント」によって示される関係性を満たしている。例えば、「第１のユーザ」としては、第１のユーザを識別するためのユーザＩＤが用いられればよく、「第２のユーザ」としては、第２のユーザを識別するためのユーザＩＤが用いられればよい。関連性情報２１は、例えば、情報処理装置２０の記憶部２２０によりあらかじめ記憶されている。
【００６３】
番組情報３１は、「番組ＩＤ」、「番組タイトル」、「放送局」、「放送時間」、「番組ジャンル」、「番組説明」および「サムネイル画像」が関連付けられた情報である。なお、番組情報３１を構成するこれらの情報は、全て必須である訳ではなく、必要に応じて適宜に番組情報３１に含められればよい。番組情報３１は、例えば、番組情報提供サーバ３０によりあらかじめ記憶されている。
【００６４】
録画予約情報４１は、「番組ＩＤ」、「ユーザＩＤ」、「録画予約日時」および「録画ステータス」が関連付けられた情報である。例えば、端末１０は、ユーザ操作に従って番組情報提供サーバ３０から番組情報３１の提供を受けると、番組情報提供サーバ３０から提供された番組情報３１を表示部１６０に表示させる。番組情報３１を閲覧したユーザが番組の録画予約を行うと、番組ＩＤ、ユーザＩＤ、録画予約日時および録画ステータスが、録画予約情報４１としてコンテンツ提供サーバ４０に出力される。出力された録画予約情報４１は、コンテンツ提供サーバ４０によって記憶される。
【００６５】
なお、録画ステータスには、例えば、録画者からのコメントが含まれていてもよい。また、図５に示した例では、録画予約情報４１とコンテンツ４２とが同一のコンテンツ提供サーバ４０によって記憶されているが、録画予約情報４１とコンテンツ４２とは異なるサーバによって記憶されてもよい。
【００６６】
コンテンツ４２は、「番組ＩＤ」および「番組コンテンツ」が関連付けられた情報である。例えば、コンテンツ提供サーバ４０は、端末１０によって番組コンテンツを識別するための番組ＩＤが指定された場合には、その番組ＩＤに関連付けられた番組コンテンツを端末１０に提供することができる。コンテンツ４２は、例えば、コンテンツ提供サーバ４０によりあらかじめ記憶されている。
【００６７】
ここで、例えば、端末１０Ａを利用するユーザＡが予約録画状況を確認するための操作を行った場合を想定する。かかる場合、情報処理装置２０において、判定部２１１は、ユーザＡと他のユーザとの関係性に基づいて、他のユーザにより実行される録画予約に応じた録画予約をユーザＡに実行させることを促すか否かを判定する。
【００６８】
例えば、判定部２１１は、他のユーザそれぞれとユーザＡとの関係性を示す関係性ポイントの合計値が閾値以上である場合には、他のユーザにより実行される録画予約に応じた録画予約をユーザＡに実行させることを促すことを判定してもよい。
【００６９】
例えば、閾値が「１．０ポイント」である場合において、ユーザＢが番組Ｘの録画予約を行った場合、図４に示したように、ユーザＡとユーザＢとの関係性を示す関係性ポイントは「１．０ポイント」である。したがって、判定部２１１は、関係性ポイントの合計値が閾値以上であるため、番組Ｘの録画予約をユーザＡに実行させることを促すことを判定する。そこで、出力制御部２１３は、番組Ｘに関する情報が表示されるように制御する。例えば、ユーザＢの代わりにユーザＣが番組Ｘの録画予約を行った場合にも、同様の結果となる。
【００７０】
一方、ユーザＢの代わりにユーザＤが番組Ｘの録画予約を行った場合、図４に示したように、ユーザＡとユーザＤとの関係性を示す関係性ポイントは「０．５ポイント」である。したがって、判定部２１１は、関係性ポイントの合計値が閾値未満であるため、番組Ｘの録画予約をユーザＡに実行させることを促さないことを判定する。そこで、出力制御部２１３は、番組Ｘに関する情報が表示されないように制御する。例えば、ユーザＤの代わりにユーザＥが番組Ｘの録画予約を行った場合にも、同様の結果となる。
【００７１】
図６は、番組選択画面の例を示す図である。例えば、番組選択画面は、端末１０Ａを利用するユーザＡが予約録画状況を確認するための操作を行った場合に、表示制御部１１２によって表示制御される。図６に示したように、番組選択画面には、番組に関する情報Ｐが含まれており、番組に関する情報Ｐには、サムネイル画像Ｐ１、番組詳細情報Ｐ２および録画者コメントＰ３が含まれる。上記したように、番組Ｘに関する情報が表示されるように制御された場合には、表示制御部１１２により番組Ｘに関する情報が番組選択画面に組み込まれる。
【００７２】
ここで、サムネイル画像Ｐ１は、例えば、番組情報３１に含まれる「サムネイル情報」から表示制御部１１２により取得される。また、番組詳細情報Ｐ２は、番組情報３１に含まれる「番組タイトル」、「放送局」、「番組ジャンル」、「放送時間」から表示制御部１１２により取得される。また、録画者コメントＰ３は、録画予約情報４１に含まれる「録画ステータス」から表示制御部１１２により取得される。
【００７３】
現在時刻Ｔは、番組選択画面における現在時刻の位置を示しており、現在時刻遷移ボタンＮを選択するためのユーザ操作がユーザＡによってなされると、表示制御部１１２は、現在時刻Ｔが出現する位置に番組選択画面をスクロールさせる。また、図６に示したように、ユーザＡによって録画予約がなされている番組に対しては、予約済みマークＲが表示されるように表示制御部１１２によって制御されてもよい。一方、ユーザＡによって録画予約がなされていない番組に対しては、予約済みマークＲが表示されないように表示制御部１１２によって制御されてもよい。
【００７４】
このようにして番組選択画面が表示され、番組選択画面に組み込まれた番組Ｘに関する情報を閲覧した結果、ユーザＡが番組Ｘを録画予約したいと考えた場合には、その番組Ｘを選択するための操作を行うことによって、その番組Ｘの録画予約を行うことが可能である。
【００７５】
なお、番組に関する情報Ｐのサイズは、番組によって異なっていてもよい。例えば、番組に関する情報Ｐのサイズは、関係性ポイントの合計値が大きいほど大きくてもよいし、放送時間が長いほど大きくてもよい。また、番組選択画面に空きスペースが生じた場合には、空きスペースにオンデマンドサービスによる番組に関する情報が組み込まれてもよい。
【００７６】
図７は、録画予約画面の例を示す図である。例えば、図６に示した番組選択画面において、ユーザＡにより番組Ｘを選択するための操作がなされると、図７に示したような録画予約画面が表示制御部１１２により表示されるように制御される。例えば、操作部１２０がタッチパネルにより構成される場合には、番組Ｘを選択するための操作は、番組選択画面に組み込まれた番組Ｘに関する情報に対するタッチ操作によって実行される。
【００７７】
図７に示したように、録画予約画面には、番組Ｘの詳細ウィンドウＷが含まれてもよい。また、図７に示したように、詳細ウィンドウＷには、番組情報３１に含まれる「番組説明」が含まれてもよい。録画予約画面において、ユーザＡにより録画予約ボタンＢｕを選択するための操作がなされると、処理部１１３により番組Ｘを録画予約する処理が実行される。
【００７８】
なお、予約済みの番組を選択するための操作がユーザＡによりなされた場合には、録画予約キャンセル画面が表示されてもよい。録画予約キャンセル画面には、その番組の詳細ウィンドウが含まれてもよい。詳細ウィンドウには、番組情報３１に含まれる「番組説明」が含まれてもよい。録画予約キャンセル画面において、ユーザＡにより録画予約キャンセルボタンを選択するための操作がなされた場合、処理部１１３によりその番組を録画予約キャンセルする処理が実行されてもよい。
【００７９】
以上、本開示の実施形態に係る情報処理装置２０の機能の詳細について説明した。
【００８０】
［１−５．情報処理装置の動作］
続いて、本開示の実施形態に係る情報処理装置２０の動作について説明する。図８は、本開示の実施形態に係る情報処理装置２０の動作の流れの一例を示す図である。なお、図８に示した動作の流れは、本開示の実施形態に係る情報処理装置２０の動作の流れの一例に過ぎない。したがって、本開示の実施形態に係る情報処理装置２０の動作は、図８に示した例に限定されない。
【００８１】
図８に示したように、他のユーザによって番組Ｘの録画予約がなされると、判定部２１１は、ユーザＡの直接の友達が番組Ｘを録画予約したか否かを判定する（Ｓ１１）。判定部２１１は、ユーザＡの直接の友達が番組Ｘを録画予約した場合には（Ｓ１１で「Ｙｅｓ」）、番組Ｘの録画予約ポイントに「１．０ポイント」を加算し（Ｓ１３）、Ｓ１５に進む。ユーザＡの直接の友達は、ユーザＡに対して直接的に関係のある者の一例に相当する。
【００８２】
一方、判定部２１１は、ユーザＡの直接の友達ではない者が番組Ｘを録画予約した場合には（Ｓ１１で「Ｎｏ」）、ユーザＡの友達の友達が番組Ｘを録画予約したか否かを判定する（Ｓ１２）。ユーザＡの友達の友達は、ユーザＡに対して間接的に関係のある者の一例に相当する。
【００８３】
判定部２１１は、ユーザの友達の友達が番組Ｘを録画予約した場合には（Ｓ１２で「Ｙｅｓ」）、番組Ｘの録画予約ポイントに「０．５ポイント」を加算し（Ｓ１４）、Ｓ１５に進む。一方、判定部２１１は、ユーザＡの友達の友達ではない者が番組Ｘを録画予約した場合には（Ｓ１２で「Ｎｏ」）、他のユーザによる番組Ｘの録画予約があるまで待機する。
【００８４】
続いて、判定部２１１は、番組Ｘの録画予約ポイントが閾値の一例に相当する「１．０ポイント」以上であるか否かを判定する（Ｓ１５）。出力制御部２１３は、番組Ｘの録画予約ポイントが「１．０ポイント」未満である場合には（Ｓ１５で「Ｎｏ」）、他のユーザによる番組Ｘの録画予約があるまで待機する。一方、出力制御部２１３は、番組Ｘの録画予約ポイントが「１．０ポイント」以上である場合には（Ｓ１５で「Ｙｅｓ」）、番組Ｘに関する情報が表示されるように制御し（Ｓ１６）、他のユーザによる番組Ｘの録画予約があるまで待機する。
【００８５】
出力制御部２１３によって番組Ｘに関する情報が表示されるように制御された場合には、端末１０Ａの表示制御部１１２による制御に従って、番組Ｘに関する情報が表示部１６０に表示される。番組Ｘに関する情報は、例えば、図６に示した番組選択画面に組み込まれる。その後、ユーザＡによって番組選択画面において番組Ｘを選択するための操作がなされた場合には、処理部１１３は、番組Ｘの録画予約を行うことが可能である。
【００８６】
以上、本開示の実施形態に係る情報処理装置２０の動作について説明した。
【００８７】
＜＜２．変形例＞＞
続いて、本開示の実施形態の変形例について説明する。
【００８８】
［２−１．情報処理システムの機能の詳細］
最初に、本開示の実施形態の変形例に係る情報処理システム１の機能の詳細について説明する。図９は、本開示の実施形態の変形例に係る情報処理システム１の詳細な構成例を示す図である。図９に示すように、本開示の実施形態の変形例に係る情報処理システム１においては、録画予約情報４１の代わりに視聴履歴４３が用いられる。視聴履歴４３がどの装置によって記憶されるかは特に限定されない。また、以下では、ユーザによって実行されるアクションとして番組コンテンツの視聴が実行される場合を例として説明を行う。
【００８９】
視聴履歴４３は、「番組ＩＤ」、「ユーザＩＤ」および「視聴ステータス」が関連付けられた情報である。例えば、端末１０は、ユーザ操作に従って番組情報提供サーバ３０から番組情報３１の提供を受けると、番組情報提供サーバ３０から提供された番組情報３１を表示部１６０に表示させる。番組情報３１を閲覧したユーザが番組の視聴を行うと、番組ＩＤ、ユーザＩＤおよび視聴ステータスが、視聴履歴４３としてコンテンツ提供サーバ４０に出力される。出力された視聴履歴４３は、コンテンツ提供サーバ４０によって記憶される。
【００９０】
なお、視聴ステータスには、例えば、視聴者からのコメントが含まれていてもよい。また、図９に示した例では、視聴履歴４３とコンテンツ４２とが同一のコンテンツ提供サーバ４０によって記憶されているが、視聴履歴４３とコンテンツ４２とは異なるサーバによって記憶されてもよい。
【００９１】
ここで、例えば、端末１０Ａを利用するユーザＡが視聴状況を確認するための操作を行った場合を想定する。かかる場合、情報処理装置２０において、判定部２１１は、ユーザＡと他のユーザとの関係性に基づいて、他のユーザにより実行される番組視聴に応じた番組視聴をユーザＡに実行させることを促すか否かを判定する。
【００９２】
例えば、判定部２１１は、他のユーザそれぞれとユーザＡとの関係性を示す関係性ポイントの合計値が閾値以上である場合には、他のユーザにより実行される番組視聴に応じた番組視聴をユーザＡに実行させることを促すことを判定してもよい。
【００９３】
例えば、閾値が「１．０ポイント」である場合において、ユーザＢが番組Ｘの視聴を行った場合、図４に示したように、ユーザＡとユーザＢとの関係性を示す関係性ポイントは「１．０ポイント」である。したがって、判定部２１１は、関係性ポイントの合計値が閾値以上であるため、番組Ｘの視聴をユーザＡに実行させることを促すことを判定する。そこで、出力制御部２１３は、番組Ｘに関する情報が表示されるように制御する。例えば、ユーザＢの代わりにユーザＣが番組Ｘの視聴を行った場合にも、同様の結果となる。
【００９４】
一方、ユーザＢの代わりにユーザＤが番組Ｘの視聴を行った場合、図４に示したように、ユーザＡとユーザＤとの関係性を示す関係性ポイントは「０．５ポイント」である。したがって、判定部２１１は、関係性ポイントの合計値が閾値未満であるため、番組Ｘの視聴をユーザＡに実行させることを促さないことを判定する。そこで、出力制御部２１３は、番組Ｘに関する情報が表示されないように制御する。例えば、ユーザＤの代わりにユーザＥが番組Ｘの視聴を行った場合にも、同様の結果となる。
【００９５】
以上、本開示の実施形態の変形例に係る情報処理装置２０の機能の詳細について説明した。
【００９６】
［２−２．情報処理装置の動作］
続いて、本開示の実施形態の変形例に係る情報処理装置２０の動作について説明する。図１０は、本開示の実施形態の変形例に係る情報処理装置２０の動作の流れの一例を示す図である。なお、図１０に示した動作の流れは、本開示の実施形態の変形例に係る情報処理装置２０の動作の流れの一例に過ぎない。したがって、本開示の実施形態の変形例に係る情報処理装置２０の動作は、図１０に示した例に限定されない。
【００９７】
図１０に示したように、他のユーザによって番組Ｘの視聴がなされると、判定部２１１は、ユーザＡの直接の友達が番組Ｘを視聴したか否かを判定する（Ｓ２１）。判定部２１１は、ユーザＡの直接の友達が番組Ｘを視聴した場合には（Ｓ２１で「Ｙｅｓ」）、番組Ｘの視聴ポイントに「１．０ポイント」を加算し（Ｓ２３）、Ｓ２５に進む。ユーザＡの直接の友達は、ユーザＡに対して直接的に関係のある者の一例に相当する。
【００９８】
一方、判定部２１１は、ユーザＡの直接の友達ではない者が番組Ｘを視聴した場合には（Ｓ２１で「Ｎｏ」）、ユーザＡの友達の友達が番組Ｘを視聴したか否かを判定する（Ｓ２２）。ユーザＡの友達の友達は、ユーザＡに対して間接的に関係のある者の一例に相当する。
【００９９】
判定部２１１は、ユーザの友達の友達が番組Ｘを視聴した場合には（Ｓ２２で「Ｙｅｓ」）、番組Ｘの視聴ポイントに「０．５ポイント」を加算し（Ｓ２４）、Ｓ２５に進む。一方、判定部２１１は、ユーザＡの友達の友達ではない者が番組Ｘを視聴した場合には（Ｓ２２で「Ｎｏ」）、他のユーザによる番組Ｘの視聴があるまで待機する。
【０１００】
続いて、判定部２１１は、番組Ｘの視聴ポイントが閾値の一例に相当する「１．０ポイント」以上であるか否かを判定する（Ｓ２５）。出力制御部２１３は、番組Ｘの視聴ポイントが「１．０ポイント」未満である場合には（Ｓ２５で「Ｎｏ」）、他のユーザによる番組Ｘの視聴があるまで待機する。一方、出力制御部２１３は、番組Ｘの視聴ポイントが「１．０ポイント」以上である場合には（Ｓ２５で「Ｙｅｓ」）、番組Ｘに関する情報が表示されるように制御し（Ｓ２６）、他のユーザによる番組Ｘの視聴があるまで待機する。
【０１０１】
出力制御部２１３によって番組Ｘに関する情報が表示されるように制御された場合には、端末１０Ａの表示制御部１１２による制御に従って、番組Ｘに関する情報が表示部１６０に表示される。番組Ｘに関する情報は、例えば、番組選択画面に組み込まれる。その後、ユーザＡによって番組選択画面において番組Ｘを選択するための操作がなされた場合には、処理部１１３は、番組Ｘの再生を行うことによりユーザＡに番組Ｘを視聴させることが可能である。
【０１０２】
以上、本開示の実施形態の変形例に係る情報処理装置２０の動作について説明した。
【０１０３】
＜＜３．効果＞＞
続いて、本開示の実施形態の情報処理システム１が奏する効果について説明する。図１１は、一般的なプレイサイクルの例を示す図である。図１１に示したように、一般的なプレイサイクルにおいては、まず、ユーザは番組表を見る、あるいは、ユーザは番組を検索する（Ｓ９１）。続いて、ユーザは番組をリアルタイムに見て（Ｓ９２）、Ｓ９６に進むか、番組を録画予約して（Ｓ９３）、録画し（Ｓ９４）、録画した番組を見て（Ｓ９５）、Ｓ９６に進む。続いて、ユーザは、他のユーザと番組に対する感想を共有する（Ｓ９６）。
【０１０４】
一方、図１２は、本開示の実施形態に係る情報処理システム１を利用した場合におけるプレイサイクルの例を示す図である。図１２に示したように、本開示の実施形態に係る情報処理システム１を利用した場合においては、番組の録画予約をするに際して（Ｓ９３）、録画者への評価（録画者に対するランキング、称号が与えられている録画者であるか否か）を見ながら（Ｓ３４）、他のユーザの録画予約を見ることができ（Ｓ３３）、番組の評価（ランキング）を見ることができる（Ｓ３５）。このときの録画予約は他のユーザとシェアすることができる（Ｓ３１）。
【０１０５】
ユーザによって録画予約がシェアされた場合には、他のユーザによる録画者への評価がなされる。他のユーザの録画予約をフォローした場合には（Ｓ３６）、他のユーザの録画予約により自動的に予約されてもよい（Ｓ３７）。また、他のユーザの録画予約をフォローした場合に（Ｓ３６）は、ユーザによる録画者への評価がなされてもよい。ユーザが録画した番組を見た場合には（Ｓ９５）、番組を評価し（Ｓ３２）、他のユーザがその評価を見ることを可能にする。
【０１０６】
図１２に示したように、本開示の実施形態によれば、プレイサイクルにおけるユーザによるタッチポイントを増やすことができ、ユーザは自分の嗜好に合った番組を見つけやすくなる。タッチポイントにおいては、他のユーザとシェアした録画予約（または番組視聴）の数や他のユーザにフォローされた数などに応じたユーザのランキングが端末１０に表示されてもよいし、ユーザに与えられている称号が端末１０に表示されてもよいし、録画予約（または視聴）された数が多い番組が端末１０に表示されてもよい。
【０１０７】
＜＜４．むすび＞＞
以上説明したように、本開示の実施形態によれば、端末を使用するユーザと他の端末を使用する他のユーザとの関係性に基づいて、前記他のユーザにより実行されるアクションに応じたアクションを前記ユーザに実行させることを促すか否かを判定して判定結果を得る判定部と、前記判定結果に応じた表示がなされるように制御する出力制御部と、を備える、情報処理装置を提供することが可能である。
【０１０８】
かかる構成によれば、他のユーザによって実行されるアクションをユーザに提示するに際して、当該他のユーザと当該ユーザとの関係性を考慮した提示を制御することが可能な技術が実現される。
【０１０９】
また、上記したように、関係性ポイントは、ユーザと他のユーザとの関係性が強いほど、大きい値であればよい。かかる構成によれば、他のユーザにより実行されるアクションに応じたアクションをユーザに実行させることを促す頻度が多くなりすぎることを防止することができる。また、かかる構成によれば、他のユーザにより実行されるアクションに応じたアクションをユーザに実行させることを促す頻度が少ない場合には、ユーザは他のユーザとの関係性を強めようとするため、ソーシャルグラフ拡大を誘引するという効果も期待される。
【０１１０】
なお、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１１１】
例えば、本明細書の情報処理装置の動作例における各ステップは、必ずしもシーケンス図として記載された順序に沿って時系列に処理する必要はない。例えば、情報処理装置の動作例における各ステップは、シーケンス図として記載した順序と異なる順序で処理されても、並列的に処理されてもよい。
【０１１２】
また、コンピュータに内蔵されるＣＰＵ、ＲＯＭおよびＲＡＭなどのハードウェアを、上記した端末および情報処理装置が有する構成と同等の機能を発揮させるためのプログラムも作成可能である。また、該プログラムを記録した、コンピュータに読み取り可能な記録媒体も提供され得る。
【０１１３】
なお、以下のような構成も本開示の技術的範囲に属する。
（１）
端末を使用するユーザと他の端末を使用する他のユーザとの関係性に基づいて、前記他のユーザにより実行されるアクションに応じたアクションを前記ユーザに実行させることを促すか否かを判定して判定結果を得る判定部と、
前記判定結果に応じた表示がなされるように制御する出力制御部と、
を備える、情報処理装置。
（２）
前記ユーザにより実行されるアクションは、前記端末に対してなされるアクションであり、前記他のユーザにより実行されるアクションは、前記他の端末に対してなされるアクションである、
前記（１）に記載の情報処理装置。
（３）
前記他の端末に対して前記他のユーザにより実行されるアクションは、少なくともコンテンツの録画予約を含む、
前記（１）または（２）に記載の情報処理装置。
（４）
前記他の端末に対して前記他のユーザにより実行されるアクションは、少なくともコンテンツの視聴を含む、
前記（１）または（２）に記載の情報処理装置。
（５）
前記判定部は、前記ユーザと前記他のユーザとの関係性を示す関係性ポイントが閾値以上である場合には、前記他のユーザにより実行されるアクションに応じたアクションを前記ユーザに実行させることを促すことを判定する、
前記（１）〜（４）のいずれか一項に記載の情報処理装置。
（６）
前記判定部は、前記他のユーザとして複数の者が存在する場合、前記他のユーザそれぞれと前記ユーザとの関係性を示す関係性ポイントの合計値が閾値以上である場合には、前記他のユーザにより実行されるアクションに応じたアクションを前記ユーザに実行させることを促すことを判定する、
前記（１）〜（４）のいずれか一項に記載の情報処理装置。
（７）
前記情報処理装置は、
前記他のユーザのうち前記ユーザに対して直接的に関係のある者の数に応じて所定のパラメータを調整する調整部をさらに備える、
前記（６）に記載の情報処理装置。
（８）
前記調整部は、前記他のユーザのうち前記ユーザに対して直接的に関係のある者の数に応じて前記閾値を調整する、
前記（７）に記載の情報処理装置。
（９）
前記調整部は、前記他のユーザのうち前記ユーザに対して直接的に関係のある者の数が上限値を上回る場合には、前記閾値を増加させる、
前記（８）に記載の情報処理装置。
（１０）
前記調整部は、前記他のユーザのうち前記ユーザに対して直接的に関係のある者の数に応じて、前記ユーザと前記他のユーザのうち前記ユーザに対して間接的に関係のある者との関係性を示す関係性ポイントそれぞれを調整する、
前記（７）に記載の情報処理装置。
（１１）
前記調整部は、前記他のユーザのうち前記ユーザに対して直接的に関係のある者の数が上限値を上回る場合には、前記ユーザと前記他のユーザのうち前記ユーザに対して間接的に関係のある者との関係性を示す関係性ポイントそれぞれを減少させる、
前記（７）に記載の情報処理装置。
（１２）
前記調整部は、前記他のユーザのうち前記ユーザに対して直接的に関係のある者の数が下限値を下回る場合には、前記ユーザと前記他のユーザのうち前記ユーザに対して間接的に関係のある者との関係性を示す関係性ポイントそれぞれを増加させる、
前記（７）に記載の情報処理装置。
（１３）
前記情報処理装置は、
前記ユーザによって過去に実行されたアクションの履歴に基づいて所定のパラメータを調整する調整部をさらに備える、
前記（６）に記載の情報処理装置。
（１４）
前記調整部は、前記ユーザによって過去に実行されたアクションの履歴に基づいて関係性ポイントを調整する、
前記（１３）に記載の情報処理装置。
（１５）
前記関係性ポイントは、前記ユーザと前記他のユーザとの関係性が強いほど、大きい値である、
前記（６）に記載の情報処理装置。
（１６）
前記他の端末に対して前記他のユーザにより実行されるアクションは、実行予定のアクション、実行中のアクションおよび既に実行されたアクションのうちの少なくともいずれか１つを含む、
前記（１）〜（１５）のいずれか一項に記載の情報処理装置。
（１７）
端末を使用するユーザと他の端末を使用する他のユーザとの関係性に基づいて、前記他のユーザにより実行されるアクションに応じたアクションを前記ユーザに実行させることを促すか否かを判定して判定結果を得ることと、
前記判定結果に応じた表示がなされるように制御することと、
を含む、情報処理方法。
（１８）
当該端末を使用するユーザと他の端末を使用する他のユーザとの関係性に基づいて、前記他のユーザにより実行されるアクションに応じたアクションを前記ユーザに実行させることを促すか否かを示す判定結果を取得する取得部と、
前記判定結果に応じた表示がなされるように制御する表示制御部と、
を備える、端末。
（１９）
端末を使用するユーザと他の端末を使用する他のユーザとの関係性に基づいて、前記他のユーザにより実行されるアクションに応じたアクションを前記ユーザに実行させることを促すか否かを示す判定結果を取得することと、
前記判定結果に応じた表示がなされるように制御することと、
を含む、制御方法。
（２０）
コンピュータを、
当該端末を使用するユーザと他の端末を使用する他のユーザとの関係性に基づいて、前記他のユーザにより実行されるアクションに応じたアクションを前記ユーザに実行させることを促すか否かを示す判定結果を取得する取得部と、
前記判定結果に応じた表示がなされるように制御する表示制御部と、
を備える、端末として機能させるためのプログラム。
【符号の説明】
【０１１４】
１      情報処理システム
１０（１０Ａ〜１０Ｅ）  端末
２０    情報処理装置
２１    関連性情報
３０    番組情報提供サーバ
３１    番組情報
４０    コンテンツ提供サーバ
４１    録画予約情報
４２    コンテンツ
４３    視聴履歴
５０    ネットワーク
１１０  制御部
１１１  取得部
１１２  表示制御部
１１３  処理部
１２０  操作部
１３０  通信部
１４０  記憶部
１５０  音声出力部
１６０  表示部
２１０  制御部
２１１  判定部
２１２  調整部
２１３  出力制御部
２２０  記憶部
２３０  通信部
Ａ〜Ｅ  ユーザ
【図１】
2014097716.tif 000003
【図２】
2014097716.tif 000004
【図３】
2014097716.tif 000005
【図４】
2014097716.tif 000006
【図５】
2014097716.tif 000007
【図６】
2014097716.tif 000008
【図７】
2014097716.tif 000009
【図８】
2014097716.tif 000010
【図９】
2014097716.tif 000011
【図１０】
2014097716.tif 000012
【図１１】
2014097716.tif 000013
【図１２】
2014097716.tif 000014
【国際調査報告】
2014097716.tif 000015
2014097716.tif 000016
2014097716.tif 000017